(57)【特許請求の範囲】
【請求項１】
マルチスクリーン端末が現在の各表示画面間の開閉角度を検出するステップと、
検出した現在の各表示画面間の開閉角度に応じて、予め記憶した一組の音響駆動パラメータをマルチスクリーン端末が選択してマルチスクリーン端末のアンプモジュールに出力するステップ、又は、
検出した現在の各表示画面間の開閉角度及び現在の音響駆動パラメータが、最適な音場再生効果に対応する予め記憶した開閉角度及び音響駆動パラメータであるか否かを判断し、そうでない場合、現在の各表示画面間の開閉角度及び／又は現在の音響駆動パラメータを調整する必要があるかについての提示を示すステップと、を含み、
検出した現在の各表示画面間の開閉角度に応じて、予め記憶した一組の音響駆動パラメータを前記マルチスクリーン端末が選択してマルチスクリーン端末のアンプモジュールに出力する前記ステップは、
前記検出した現在の各表示画面間の開閉角度に対応する予め記憶した音響駆動パラメータを前記マルチスクリーン端末が選択して前記アンプモジュールに出力するステップ、又は、
前記検出した現在の各表示画面間の開閉角度と予め記憶した各表示画面間の開閉角度の類似度を前記マルチスクリーン端末が算出し、現在の開閉角度との類似度が最も高い開閉角度に対応する予め記憶した音響駆動パラメータを選択して前記アンプモジュールに出力するステップ、を含み、
予め記憶した各表示画面間の開閉角度を配列A1〜Anとし、nを予め記憶した各表示画面間の開閉角度と音場再生効果の対応関係の配列数とし、前記検出した現在の各表示画面間の開閉角度を配列Bとし、前記検出した現在の各表示画面間の開閉角度と予め記憶した各表示画面間の開閉角度の類似度を前記マルチスクリーン端末が算出する前記ステップは、
配列Bと、配列A1〜Anに対応する配列要素との差分値、及び各配列の差分値の分散及び／又は加重平均をそれぞれ算出するステップ、を含み、
配列Bと配列Aiで算出された配列要素の差分値の分散及び／又は加重平均が小さいほど配列Bと配列Aiの類似度は高くなり、iは1〜nの間の自然数である、音声再生方法。
【請求項２】
前記方法は、
現在の各表示画面間の開閉角度及び／又は現在の音響駆動パラメータを調整する必要がある場合、前記現在の各表示画面間の開閉角度及び／又は現在の音響駆動パラメータを前記マルチスクリーン端末が調整して、最適な音場再生効果に対応する予め記憶した開閉角度及び／又は音響駆動パラメータにするステップ、又は、前記現在の各表示画面間の開閉角度及び／又は現在の音響駆動パラメータを調整して、最適な音場再生効果に対応する予め記憶した開閉角度及び／又は音響駆動パラメータにする方法を、現在使用中の表示画面上においてユーザーインターフェースを介し提示するステップ、をさらに含む、
請求項１に記載の音声再生方法。
【請求項３】
前記音響駆動パラメータは、フィルタパラメータ、ゲインパラメータ、及び位相パラメータを含む、
請求項１に記載の音声再生方法。
【請求項４】
現在の各表示画面間の開閉角度を検出し、検出した現在の各表示画面間の開閉角度を処理モジュールに出力するように構成される検出モジュールと、
検出した現在の各表示画面間の開閉角度に応じて、記憶モジュールに予め記憶した一組の音響駆動パラメータを選択してアンプモジュールに出力する、又は、検出した現在の各表示画面間の開閉角度及び現在の音響駆動パラメータが、記憶モジュールに予め記憶した最適な音場再生効果に対応する開閉角度及び音響駆動パラメータであるか否かを判断し、そうでない場合、現在の各表示画面間の開閉角度及び／又は現在の音響駆動パラメータを調整する必要があるかについての提示を示すように構成される処理モジュールと、
前記音響駆動パラメータに従って音響を出力するように構成されるアンプモジュールと、
各表示画面間の開閉角度と音場再生効果と音響駆動パラメータの対応関係を少なくとも一組予め記憶するように構成される記憶モジュールと、を含み、
前記処理モジュールは、検出した現在の各表示画面間の開閉角度に応じて、記憶モジュールに予め記憶した一組の音響駆動パラメータを選択してアンプモジュールに出力し、
前記記憶モジュールに予め記憶した、前記検出した現在の各表示画面間の開閉角度に対応する音響駆動パラメータを選択して前記アンプモジュールに出力するステップ、又は、
前記検出した現在の各表示画面間の開閉角度と前記記憶モジュールに予め記憶した各表示画面間の開閉角度の類似度を算出し、現在の開閉角度との類似度が最も高い開閉角度に対応する予め記憶した音響駆動パラメータを選択して前記アンプモジュールに出力するステップ、を含み、
予め記憶した各表示画面間の開閉角度を配列A1〜Anとし、nを予め記憶した各表示画面間の開閉角度と音場再生効果の対応関係の配列数とし、前記検出した現在の各表示画面間の開閉角度を配列Bとし、前記検出した現在の各表示画面間の開閉角度と記憶モジュールに予め記憶した各表示画面間の開閉角度の類似度を前記処理モジュールが算出するステップは、
配列Bと、配列A1〜Anに対応する配列要素との差分値、及び各配列の差分値の分散及び／又は加重平均をそれぞれ算出するステップ、を含み、
配列Bと配列Aiで算出された分散及び／又は加重平均が小さいほど配列Bと配列Aiの類似度は高くなり、iは1〜nの間の自然数である、マルチスクリーン端末。
【請求項５】
調整モジュールをさらに含み、
前記処理モジュールはさらに、現在の各表示画面間の開閉角度及び／又は現在の音響駆動パラメータを調整する必要がある場合、調整モジュールに通知するように構成され、
調整モジュールは、前記処理モジュールからの通知を受けて、前記現在の各表示画面間の開閉角度及び／又は現在の音響駆動パラメータを調整して、最適な音場再生効果に対応する予め記憶した開閉角度及び／又は音響駆動パラメータにする、又は、前記現在の各表示画面間の開閉角度及び／又は現在の音響駆動パラメータを調整して、最適な音場再生効果に対応する予め記憶した開閉角度及び／又は音響駆動パラメータにする方法を、現在使用中の表示画面上においてユーザーインターフェースを介し提示するように構成される、
請求項４に記載のマルチスクリーン端末。
【請求項６】
前記音響駆動パラメータは、フィルタパラメータ、ゲインパラメータ、及び位相パラメータを含む、
請求項４に記載のマルチスクリーン端末。
【請求項７】
前記検出モジュールは、メカニカルゴニオメーター、磁気ゴニオメーター、レーザーゴニオメーターを含む、
請求項４に記載のマルチスクリーン端末。
【請求項８】
前記処理モジュールは、前記検出した現在の各表示画面間の開閉角度と現在の音場タイプに応じて、前記記憶モジュールに予め記憶した一組の音響駆動パラメータを選択して前記アンプモジュールに出力する、又は、現在の各表示画面間の開閉角度及び現在の音響駆動パラメータ、現在の音場タイプが、前記記憶モジュールに予め記憶した最適な音場再生効果に対応する開閉角度及び音響駆動パラメータ、音場タイプであるか否かを判断し、そうでない場合、現在の各表示画面間の開閉角度、現在の音響駆動パラメータ及び／又は現在の音場タイプを調整する必要があるかについての提示を示すように構成される、
請求項４に記載のマルチスクリーン端末。
【請求項９】
記憶されたプログラムを含み、
前記プログラムが実行されるとき、請求項１〜３の何れか１項に記載の方法を実行する、
記憶媒体。
【発明の詳細な説明】
【技術分野】
【０００１】
本発明は通信技術分野、特に音声再生方法及びマルチスクリーン端末に関するものである。
【背景技術】
【０００２】
スマート端末の音響効果に対する要求はますます高くなり、音声通話シーンでもマルチメディア再生シーンでも、ユーザの聴覚体験を可能な限り改善することが求められている。既存のスマート端末は一般に優れた電気音響変換装置を使用しており、マルチメディア再生シーンでは複雑な音響後処理アルゴリズムを統合し、音声通話シーンでは音響最適化アルゴリズムを使用している。こういった音響後処理アルゴリズム及び音響最適化アルゴリズムはノイズ抑制、音響効果増強、エコーキャンセル、音声増強などの機能を提供することにより、スマート端末の音響効果を最適化し、ユーザの聴覚体験を向上させることができる。
【０００３】
スマート端末の急速な発展に伴い、複数の表示画面を備えたスマート端末がますます増えている。複数の表示画面を備えたスマート端末を用いてアプリケーションの表示を行うとき、各表示画面は同一内容の異なる部分を表示することも、異なる内容を表示することもできる。例えば既存の二画面モバイル端末（例えば二画面の携帯電話）では、ユーザは二つの表示画面を独立して操作することができる。すなわち、テレビを見る、音楽を聞く、ネットにアクセスするなどの操作を二画面でそれぞれ行なうことができ、一台を多用途に使用できる。しかしながら、二つの表示画面で同時に音声データを再生するとき、二画面のスピーカ同士が音場を相殺してしまう問題が生じ、ユーザ体験が劣ることになる。
【発明の概要】
【課題を解決するための手段】
【０００４】
本発明は上記技術課題を解決するために、マルチスクリーン端末の複数のスピーカの音場が相殺される問題を解決できる音声再生の方法及びマルチスクリーン端末を提供する。
【０００５】
本発明の目的を達成するために、本発明実施例における技術案は以下の通り実現される。
【０００６】
本発明の実施例は、
マルチスクリーン端末が現在の各表示画面間の開閉角度を検出するステップと、
検出した現在の各表示画面間の開閉角度に応じて、予め記憶した一組の音響駆動パラメータをマルチスクリーン端末が選択してマルチスクリーン端末のアンプモジュールに出力するステップ、又は、
検出した現在の各表示画面間の開閉角度及び現在の音響駆動パラメータが、最適な音場再生効果に対応する予め記憶した開閉角度及び音響駆動パラメータであるか否かを判断し、そうでない場合、現在の各表示画面間の開閉角度及び／又は現在の音響駆動パラメータを調整する必要があるかについての提示を示す、ステップと、を含む、
音声再生方法を提供する。
【０００７】
選択的に、検出した現在の各表示画面間の開閉角度に応じて、予め記憶した一組の音響駆動パラメータを前記マルチスクリーン端末が選択してマルチスクリーン端末のアンプモジュールに出力する前記ステップは、
前記検出した現在の各表示画面間の開閉角度に対応する予め記憶した音響駆動パラメータを前記マルチスクリーン端末が選択して前記アンプモジュールに出力するステップ、又は、
前記検出した現在の各表示画面間の開閉角度と予め記憶した各表示画面間の開閉角度の類似度を前記マルチスクリーン端末が算出し、現在の開閉角度との類似度が最も高い開閉角度に対応する予め記憶した音響駆動パラメータを選択して前記アンプモジュールに出力するステップ、を含む。
【０００８】
選択的に、予め記憶した各表示画面間の開閉角度を配列A1〜Anとし、nを予め記憶した各表示画面間の開閉角度と音場再生効果の対応関係の配列数とし、前記検出した現在の各表示画面間の開閉角度を配列Bとし、前記検出した現在の各表示画面間の開閉角度と予め記憶した各表示画面間の開閉角度の類似度を前記マルチスクリーン端末が算出する前記ステップは、
配列Bと、配列A1〜Anに対応する配列要素との差分値、及び各配列の差分値の分散及び／又は加重平均をそれぞれ算出するステップ、を含み、
配列Bと配列Aiで算出された配列要素の差分値の分散及び／又は加重平均が小さいほど配列Bと配列Aiの類似度は高くなり、iは0〜n-1の間の自然数である。
【０００９】
選択的に、前記方法は、
現在の各表示画面間の開閉角度及び／又は現在の音響駆動パラメータを調整する必要がある場合、前記現在の各表示画面間の開閉角度及び／又は現在の音響駆動パラメータを前記マルチスクリーン端末が調整して、最適な音場再生効果に対応する予め記憶した開閉角度及び／又は音響駆動パラメータにするステップ、又は、前記現在の各表示画面間の開閉角度及び／又は現在の音響駆動パラメータを調整して、最適な音場再生効果に対応する予め記憶した開閉角度及び／又は音響駆動パラメータにする方法を、現在使用中の表示画面上においてユーザーインターフェースを介し提示するステップ、をさらに含む。
【００１０】
選択的に、前記音響駆動パラメータは、フィルタパラメータ、ゲインパラメータ、及び位相パラメータを含む。
【００１１】
本発明の実施例は、マルチスクリーン端末が現在の各表示画面間の開閉角度を検出するステップと、
検出した現在の各表示画面間の開閉角度と現在の音場タイプに応じて、予め記憶した一組の音響駆動パラメータを選択してマルチスクリーン端末のアンプモジュールに出力するステップ、又は、
検出した現在の各表示画面間の開閉角度及び現在の音響駆動パラメータ、現在の音場タイプが、最適な音場再生効果に対応する予め記憶した開閉角度及び音響駆動パラメータ、音場タイプであるか否かを判断し、そうでない場合、現在の各表示画面間の開閉角度、現在の音響駆動パラメータ及び／又は現在の音場タイプを調整する必要があるかについての提示を示すステップと、を含む、音声再生方法をさらに提供する。
【００１２】
本発明の実施例は、現在の各表示画面間の開閉角度を検出し、検出した現在の各表示画面間の開閉角度を処理モジュールに出力するように構成される検出モジュールと、
検出した現在の各表示画面間の開閉角度に応じて、記憶モジュールに予め記憶した一組の音響駆動パラメータを選択してアンプモジュールに出力する、又は、検出した現在の各表示画面間の開閉角度及び現在の音響駆動パラメータが、記憶モジュールに予め記憶した最適な音場再生効果に対応する開閉角度及び音響駆動パラメータであるか否かを判断し、そうでない場合、現在の各表示画面間の開閉角度及び／又は現在の音響駆動パラメータを調整する必要があるかについての提示を示すように構成される処理モジュールと、
前記音響駆動パラメータに従って音響を出力するように構成されるアンプモジュールと、
各表示画面間の開閉角度と音場再生効果と音響駆動パラメータの対応関係を少なくとも一組予め記憶するように構成される記憶モジュールと、を含む、マルチスクリーン端末をさらに提供する。
【００１３】
選択的に、前記マルチスクリーン端末は調整モジュールをさらに含み、
前記処理モジュールはさらに、現在の各表示画面間の開閉角度及び／又は現在の音響駆動パラメータを調整する必要がある場合、調整モジュールに通知するように構成され、
調整モジュールは、前記処理モジュールからの通知を受けて、前記現在の各表示画面間の開閉角度及び／又は現在の音響駆動パラメータを調整して、最適な音場再生効果に対応する予め記憶した開閉角度及び／又は音響駆動パラメータにする、又は、前記現在の各表示画面間の開閉角度及び／又は現在の音響駆動パラメータを調整して、最適な音場再生効果に対応する予め記憶した開閉角度及び／又は音響駆動パラメータにする方法を、現在使用中の表示画面上においてユーザーインターフェースを介し提示するように構成される。
【００１４】
選択的に、前記処理モジュールは、検出した現在の各表示画面間の開閉角度に応じて、記憶モジュールに予め記憶した一組の音響駆動パラメータを選択してアンプモジュールに出力し、
前記記憶モジュールに予め記憶した、前記検出した現在の各表示画面間の開閉角度に対応する音響駆動パラメータを選択して前記アンプモジュールに出力するステップ、又は、
前記検出した現在の各表示画面間の開閉角度と前記記憶モジュールに予め記憶した各表示画面間の開閉角度の類似度を算出し、現在の開閉角度との類似度が最も高い開閉角度に対応する予め記憶した音響駆動パラメータを選択して前記アンプモジュールに出力するステップ、を含む。
【００１５】
選択的に、予め記憶した各表示画面間の開閉角度を配列A1〜Anとし、nを予め記憶した各表示画面間の開閉角度と音場再生効果の対応関係の配列数とし、前記検出した現在の各表示画面間の開閉角度を配列Bとし、前記検出した現在の各表示画面間の開閉角度と記憶モジュールに予め記憶した各表示画面間の開閉角度の類似度を前記処理モジュールが算出する前記ステップは、
配列Bと、配列A1〜Anに対応する配列要素との差分値、及び各配列の差分値の分散及び／又は加重平均をそれぞれ算出するステップ、を含み、
配列Bと配列Aiで算出された分散及び／又は加重平均が小さいほど配列Bと配列Aiの類似度は高くなり、iは1〜nの間の自然数である。
【００１６】
選択的に、前記音響駆動パラメータは、フィルタパラメータ、ゲインパラメータ、及び位相パラメータを含む。
【００１７】
選択的に、前記検出モジュールは、メカニカルゴニオメーター、磁気ゴニオメーター、レーザーゴニオメーターを含む。
【００１８】
前記処理モジュールは、
前記検出した現在の各表示画面間の開閉角度と現在の音場タイプに応じて、前記記憶モジュールに予め記憶した一組の音響駆動パラメータを選択して前記アンプモジュールに出力する、又は、
現在の各表示画面間の開閉角度及び現在の音響駆動パラメータ、現在の音場タイプが、前記記憶モジュールに予め記憶した最適な音場再生効果に対応する開閉角度及び音響駆動パラメータ、音場タイプであるか否かを判断し、そうでない場合、現在の各表示画面間の開閉角度、現在の音響駆動パラメータ及び／又は現在の音場タイプを調整する必要があるかについての提示を示すように構成される。
【００１９】
本発明の技術案は、以下の有益な効果を有する。
本発明において提供する音声再生方法及びマルチスクリーン端末は、開閉角度と音響駆動パラメータと音場再生効果の対応関係を予め記憶することにより、マルチスクリーン端末の複数のスピーカの音場が相殺されるという課題を解決し、マルチスクリーン端末の音響効果を最適化してユーザの聴覚体験を向上させるものである。
【００２０】
ここで説明する図面は本発明をさらに理解するために提供するものであり、本願の一部である。本発明の例示的な実施例及びその説明は本発明を説明するためのものであり、本開示を不適切に限定するものではない。
【図面の簡単な説明】
【００２１】
【図１】図１は、本発明の実施例による音声再生方法のフロー模式図である。
【図２】図２は、本発明の第一の実施例によるマルチスクリーン端末の構造模式図である。
【図３】図３は、本発明の第二の実施例によるマルチスクリーン端末の構造模式図である。
【図４】図４は、本発明の好ましい実施例によるデュアルスクリーン携帯電話の全体構造の模式図である。
【図５】図５は、本発明の好ましい実施例によるデュアルスクリーン携帯電話の折り曲げ角度が０°である場合の構造模式図である。
【図６】図６は、本発明の好ましい実施例によるデュアルスクリーン携帯電話の折り曲げ角度が３０°である場合の構造模式図である。
【図７】図７は、本発明の好ましい実施例によるデュアルスクリーン携帯電話の折り曲げ角度が１５０°である場合の構造模式図である。
【図８】図８は、本発明の好ましい実施例によるデュアルスクリーン携帯電話の折り曲げ角度が１８０°である場合の構造模式図である。
【発明を実施するための形態】
【００２２】
本発明の目的、技術案及び利点をより明確に理解するために、以下では図面を組み合わせながら本発明の実施例を詳細に説明する。なお本願における実施例及び実施例における特徴は、矛盾しない限りは互いに組み合わせることができる。
【００２３】
図１に示すように、本発明による音声再生方法は、以下のステップを含む。
ステップ１０１：マルチスクリーン端末が現在の各表示画面間の開閉角度を検出する。
【００２４】
選択的に、前記マルチスクリーン端末は角度検出装置により現在の各表示画面間の開閉角度を検出する。
【００２５】
なお、本発明に係る角度検出装置は、既存のメカニカルゴニオメーター、磁気ゴニオメーター、レーザーゴニオメーターなどの角度計測器を用いることができる。メカニカルゴニオメーターを用いて検出する場合、マルチスクリーン端末の回転軸に機械的角度検出素子を設置しておき、マルチスクリーン端末が一つの角度回転する毎に機械構造もそれに伴って回転し、機械的角度検出素子が異なる信号を出力することにより、異なる回転角度が標記されるようにする。磁気ゴニオメーターを用いて検出する場合、マルチスクリーン端末の回転軸に磁気検出素子（例えばホール素子）を設置しておき、マルチスクリーン端末が一つの角度回転する毎に磁気検出素子が異なる磁界強度変化を検出することにより、異なる回転角度を算出するようにする。レーザーゴニオメーターを用いて検出する場合、マルチスクリーン端末の回転軸にレーザ測距素子を設置しておき、マルチスクリーン端末が一つの角度回転する毎に機械構造が共に回転し、マルチスクリーン端末の開閉部の距離もそれに伴って変化し、レーザ測距素子がその距離を計測することにより、異なる回転角度を計測するようにする。
【００２６】
ステップ１０２：
検出した現在の各表示画面間の開閉角度に応じて、予め記憶した一組の音響駆動パラメータをマルチスクリーン端末が選択してマルチスクリーン端末のアンプモジュールに出力する、又は、
検出した現在の各表示画面間の開閉角度及び現在の音響駆動パラメータが、最適な音場再生効果に対応する予め記憶した開閉角度及び音響駆動パラメータであるか否かを判断し、そうでない場合、現在の各表示画面間の開閉角度及び／又は現在の音響駆動パラメータを調整する必要があるかについての提示を示す。
【００２７】
具体的には、前記音響駆動パラメータは、フィルタパラメータ、ゲインパラメータ、及び位相パラメータを含むが、これらに限定されない。前記フィルタパラメータは異なる周波数の音声信号に対して周波数選択を行ない、更なる処理（例えば増幅、減衰、廃棄など）を容易にしている。前記ゲインパラメータは周波数選択後の音声信号に対して増幅又は減衰処理を行うためのものであり、通常は異なる周波数ポイントの音声信号に対して異なるゲインパラメータを用いる。前記位相パラメータは音声信号を移相処理して音場全体のステレオ残響効果を作り、音場をより空気感、臨場感あるものにするために用いる。
【００２８】
なお、本発明でいう音場（Sound Field）は、音波のある、弾性媒体が占める空間を指す。前記媒体は気体、液体、固体のどれであってもよいが、環境音響学が扱う媒体は主に大気である。音場は自由音場（Free Field）、残響音場（Reverberant Field）、拡散音場（Diffuse Sound Field）などにさらに分類される。
【００２９】
前記予め記憶した開閉角度、音響駆動パラメータ及び音場再生効果の対応関係は、マルチスクリーン端末の出荷前に設定できる。例えば、異なる開閉角度と異なる音声駆動パラメータに対応する音場再生効果を試験や調整を経て記録し、若干数の開閉角度とその開閉角度で最適な音場再生効果を得られる音声駆動パラメータとを選択しておき、それを予め記憶した開閉角度、音場再生効果及び音響駆動パラメータの対応関係とする。
【００３０】
選択的に、検出した現在の各表示画面間の開閉角度に応じて、予め記憶した一組の音響駆動パラメータを前記マルチスクリーン端末が選択してマルチスクリーン端末のアンプモジュールに出力する前記ステップは、
前記検出した現在の各表示画面間の開閉角度に対応する予め記憶した音響駆動パラメータを前記マルチスクリーン端末が選択して前記アンプモジュールに出力するステップ、又は、
前記検出した現在の各表示画面間の開閉角度と予め記憶した各表示画面間の開閉角度の類似度を前記マルチスクリーン端末が算出し、現在の開閉角度との類似度が最も高い開閉角度に対応する予め記憶した音響駆動パラメータを選択して前記アンプモジュールに出力するステップ、を含む。
【００３１】
選択的に、予め記憶した各表示画面間の開閉角度を配列A1〜Anとし、nを予め記憶した各表示画面間の開閉角度と音場再生効果の対応関係の配列数とし、前記検出した現在の各表示画面間の開閉角度を配列Bとし、前記検出した現在の各表示画面間の開閉角度と予め記憶した各表示画面間の開閉角度の類似度を前記マルチスクリーン端末が算出する前記ステップは、
配列Bと、配列A1〜Anに対応する配列要素との差分値、及び各配列の差分値の分散及び／又は加重平均をそれぞれ算出するステップ、を含み、
配列Bと配列Aiで算出された配列要素の差分値の分散及び／又は加重平均が小さいほど配列Bと配列Aiの類似度は高くなり、iは1〜nの間の自然数である。
【００３２】
なお、各配列の差分値の分散及び／又は加重平均を算出する際、各配列の配列要素における各要素の加重値は実際の状況に応じてマルチスクリーン端末内で予め設定される。各要素の加重値が等しい場合、加重平均値は即ち平均値のことであり、得られた分散及び／又は加重平均が小さいほど類似度が高い。
【００３３】
本発明の一つの実施例において、マルチスクリーン端末を仮に三画面端末とすると、配列Aiは二つの数列要素（ai0，ai1）を含み、Ai0が第１の画面と第２の画面のなす角度、Ai1が第２の画面と第３の画面のなす角度、iが1〜nまでの間の自然数を表す。仮に、各表示画面間の開閉角度と音場再生効果の対応関係を予め五組記憶していたとすると、その五組の対応関係において、各表示画面間の開閉角度の配列A1が［９０°，９０°］、A2が［３０°，９０°］、A3が［９０°，３０°］、A4が［６０°，３０°］、A5が［４５°，４５°］であったとして、検出した現在の各画面の開閉角度の配列Bが［８５°，９５°］であったとすると、
まず、配列Bと配列A1〜A5に対応する配列要素との差分値をそれぞれ［−５°，５°］、［５５°，５°］、［−５°，６０°］、［２５°，４５°］、［４０°，５０°］と算出する。
【００３４】
そして各配列の差分値の平均と分散を計算する。第1数列の差分値の平均は（（−５）＋５）／２＝０、分散は（−５−０）２＋（５−０）２）／２＝２５であり、第2配列の差分値の平均は（５５＋５）／２＝３０、分散は（（５５−３０）２＋（５−３０）２）／２＝６２５であり、第3配列の差分値の平均は（（−５）＋６０）／２＝２７．５、分散は（（−５−２７．５）２＋（６０−２７．５）２）／２＝１０５６．２５であり、第4配列の差分値の平均は（２５＋４５）／２＝３５、分散は（（２５−３５）２＋（４５−３５）２）／２＝１００であり、第5配列の差分値の平均は（４０＋５０）／２＝４５、分散は（（４０−４５）２＋（５０−４５）２）／２＝２５である。この計算結果から、第1組の差分値の平均値が最小、第1組と第5組の差分値の分散が最小となったため、現在の各表示画面間の開閉角度は予め記憶した第1組の各表示画面間の開閉角度に最も類似していると見なし、第1組の開閉角度に対応する音響駆動パラメータをマルチスクリーン端末のアンプモジュールに出力する。
【００３５】
本発明の一つの実施例において、現在の各表示画面間の開閉角度及び／又は現在の音響駆動パラメータを調整する必要がある場合、現在の各表示画面間の開閉角度及び／又は現在の音響駆動パラメータを前記マルチスクリーン端末が調整して、最適な音場再生効果に対応する予め記憶した開閉角度及び／又は音響駆動パラメータにする、又は、現在の各表示画面間の開閉角度及び／又は現在の音響駆動パラメータを調整して、最適な音場再生効果に対応する予め記憶した開閉角度及び／又は音響駆動パラメータにする方法を、現在使用中の表示画面上においてユーザーインターフェースを介し提示する。
【００３６】
選択的に、本発明は、
マルチスクリーン端末が現在の各表示画面間の開閉角度を検出するステップと、
検出した現在の各表示画面間の開閉角度と現在の音場タイプに応じて、予め記憶した一組の音響駆動パラメータを選択してマルチスクリーン端末のアンプモジュールに出力するステップ、又は、
検出した現在の各表示画面間の開閉角度及び現在の音響駆動パラメータ、現在の音場タイプが、最適な音場再生効果に対応する予め記憶した開閉角度及び音響駆動パラメータ、音場タイプであるか否かを判断し、そうでない場合、現在の各表示画面間の開閉角度、現在の音響駆動パラメータ及び／又は現在の音場タイプを調整する必要があるかについての提示を示すステップと、を含む、音声再生方法をさらに公開する。
【００３７】
選択的に、現在の各表示画面間の開閉角度、現在の音響駆動パラメータ及び／又は現在の音場タイプを調整する必要がある場合、現在の各表示画面間の開閉角度、現在の音響駆動パラメータ及び／又は現在の音場タイプをマルチスクリーン端末が調整して、最適な音場再生効果に対応する予め記憶した開閉角度、音響駆動パラメータ及び／又は音場タイプにする、又は、現在の各表示画面間の開閉角度、現在の音響駆動パラメータ及び／又は現在の音場タイプを調整して、最適な音場再生効果に対応する予め記憶した開閉角度、音響駆動パラメータ及び／又は音場タイプにする方法を、現在使用中の表示画面上においてユーザーインターフェースを介し提示する。
【００３８】
例えば、前記音場タイプにはソフト、クリア、重低音、ロック風など種々のものが含まれてもよく、この場合、予め記憶した開閉角度と音場タイプ、音場再生効果の対応関係においては、より好ましい音場再生効果が得られる複数の音場タイプの音響駆動パラメータが同一の開閉角度に対応付けられる。
【００３９】
図２に示すように、本発明のマルチスクリーン端末は、
現在の各表示画面間の開閉角度を検出し、検出した現在の各表示画面間の開閉角度を処理モジュール２０２に出力するように構成される検出モジュール２０１と、
検出した現在の各表示画面間の開閉角度に応じて、記憶モジュール２０３に予め記憶した一組の音響駆動パラメータを選択してアンプモジュール２０４に出力する、又は、現在の各表示画面間の開閉角度及び現在の音響駆動パラメータが、記憶モジュール２０３に予め記憶した最適な音場再生効果に対応する開閉角度及び音響駆動パラメータであるか否かを判断し、そうでない場合、現在の各表示画面間の開閉角度及び／又は現在の音響駆動パラメータを調整する必要があるかについての提示を示すように構成される処理モジュール２０２と、
各表示画面間の開閉角度と音場再生効果と音響駆動パラメータの対応関係を少なくとも一組予め記憶するように構成される記憶モジュール２０３と、
前記音響駆動パラメータに従って音響を出力するように構成されるアンプモジュール２０４と、を含む。
【００４０】
なお、本発明に記載の検出モジュール２０１は、既存のメカニカルゴニオメーター、磁気ゴニオメーター、レーザーゴニオメーターなどの角度計測器を用いることができる。メカニカルゴニオメーターを用いて検出する場合、マルチスクリーン端末の回転軸に機械的角度検出素子を設置しておき、マルチスクリーン端末が一つの角度回転する毎に機械構造もそれに伴って回転し、機械的角度検出素子が異なる信号を出力することにより、異なる回転角度が標記されるようにする。磁気ゴニオメーターを用いて検出する場合、マルチスクリーン端末の回転軸に磁気検出素子（例えばホール素子）を設置しておき、マルチスクリーン端末が一つの角度回転する毎に磁気検出素子が異なる磁界強度変化を検出することにより、異なる回転角度を算出するようにする。レーザーゴニオメーターを用いて検出する場合、マルチスクリーン端末の回転軸にレーザ測距素子を設置しておき、マルチスクリーン端末が一つの角度回転する毎に機械構造が共に回転し、マルチスクリーン端末の開閉部の距離もそれに伴って変化し、レーザ測距素子がその距離を計測することにより、異なる回転角度を計測するようにする。
【００４１】
選択的に、図３に示すように、調整モジュール２０５をさらに含み、
前記処理モジュール２０２はさらに、現在の各表示画面間の開閉角度及び／又は現在の音響駆動パラメータを調整する必要がある場合、調整モジュール２０５に通知するように構成され、
調整モジュール２０５は、前記処理モジュール２０２からの通知を受けて、前記現在の各表示画面間の開閉角度及び／又は現在の音響駆動パラメータを調整して、最適な音場再生効果に対応する予め記憶した開閉角度及び／又は音響駆動パラメータにする、又は、前記現在の各表示画面間の開閉角度及び／又は現在の音響駆動パラメータを調整して、最適な音場再生効果に対応する予め記憶した開閉角度及び／又は音響駆動パラメータにする方法を、現在使用中の表示画面上においてユーザーインターフェースを介し提示するように構成される。
【００４２】
選択的に、前記音響駆動パラメータは、フィルタパラメータ、ゲインパラメータ、及び位相パラメータを含むが、これらに限定されない。前記フィルタパラメータは異なる周波数の音声信号に対して周波数選択を行ない、更なる処理（例えば増幅、減衰、廃棄など）を容易にしている。前記ゲインパラメータは周波数選択後の音声信号に対して増幅又は減衰処理を行うためのものであり、通常は異なる周波数ポイントの音声信号に対して異なるゲインパラメータを用いる。前記位相パラメータは音声信号を移相処理して音場全体のステレオ残響効果を作り、音場をより空気感、臨場感あるものにするために用いる。
【００４３】
なお、前記予め記憶した開閉角度、音響駆動パラメータ及び音場再生効果の対応関係は、マルチスクリーン端末の出荷前に設定できる。例えば、異なる開閉角度と異なる音声駆動パラメータに対応する音場再生効果を試験や調整を経て記録し、若干数の開閉角度とその開閉角度で最適な音場再生効果を得られる音声駆動パラメータとを選択しておき、それを予め記憶した開閉角度、音場再生効果及び音響駆動パラメータの対応関係とする。
【００４４】
選択的に、前記処理モジュール２０２は、検出した現在の各表示画面間の開閉角度に応じて、記憶モジュール２０３に予め記憶した一組の音響駆動パラメータを選択してアンプモジュール２０４に出力し、
前記記憶モジュール２０３に予め記憶した、前記検出した現在の各表示画面間の開閉角度に対応する音響駆動パラメータを選択して前記アンプモジュール２０４に出力するステップ、又は、
前記検出した現在の各表示画面間の開閉角度と前記記憶モジュール２０３に予め記憶した各表示画面間の開閉角度の類似度を算出し、現在の開閉角度との類似度が最も高い開閉角度に対応する予め記憶した音響駆動パラメータを選択して前記アンプモジュール２０４に出力するステップ、を含む。
【００４５】
選択的に、予め記憶した各表示画面間の開閉角度を配列A1〜Anとし、nを予め記憶した各表示画面間の開閉角度と音場再生効果の対応関係の配列数とし、前記検出した現在の各表示画面間の開閉角度を配列Bとし、前記検出した現在の各表示画面間の開閉角度と前記記憶モジュール２０３が予め記憶した各表示画面間の開閉角度の類似度を前記処理モジュール２０２が算出する前記ステップは、
配列Bと、配列A1〜Anに対応する配列要素との差分値、及び各配列の差分値の分散及び／又は加重平均をそれぞれ算出するステップ、を含み、
配列Bと配列Aiで算出された配列要素の差分値の分散及び／又は加重平均が小さいほど配列Bと配列Aiの類似度は高くなり、iは1〜nの間の自然数である。
【００４６】
なお、各配列の差分値の分散及び／又は加重平均を算出する際、各配列の配列要素における各要素の加重値は実際の状況に応じてマルチスクリーン端末内で予め設定される。各要素の加重値が等しい場合、加重平均値は即ち平均値のことであり、得られた分散及び／又は加重平均が小さいほど類似度が高い。
【００４７】
本発明の一つの実施例において、マルチスクリーン端末を仮に三画面端末とすると、配列Aiは二つの数列要素（ai0，ai1）を含み、Ai0が第１の画面と第２の画面のなす角度、Ai1が第２の画面と第３の画面のなす角度、iが1〜nまでの間の自然数を表す。仮に、各表示画面間の開閉角度と音場再生効果の対応関係を予め五組記憶していたとすると、その五組の対応関係において、各表示画面間の開閉角度の配列A1が［９０°，９０°］、A2が［３０°，９０°］、A3が［９０°，３０°］、A4が［６０°，３０°］、A5が［４５°，４５°］であったとして、検出した現在の各画面の開閉角度の配列Bが［８５°，９５°］であったとすると、
まず、配列Bと配列A1〜A5に対応する配列要素との差分値をそれぞれ［−５°，５°］、［５５°，５°］、［−５°，６０°］、［２５°，４５°］、［４０°，５０°］と算出する。
【００４８】
そして各配列の差分値の平均と分散を計算する。第1数列の差分値の平均は（（−５）＋５）／２＝０、分散は（−５−０）２＋（５−０）２）／２＝２５であり、第2配列の差分値の平均は（５５＋５）／２＝３０、分散は（（５５−３０）２＋（５−３０）２）／２＝６２５であり、第3配列の差分値の平均は（（−５）＋６０）／２＝２７．５、分散は（（−５−２７．５）２＋（６０−２７．５）２）／２＝１０５６．２５であり、第4配列の差分値の平均は（２５＋４５）／２＝３５、分散は（（２５−３５）２＋（４５−３５）２）／２＝１００であり、第5配列の差分値の平均は（４０＋５０）／２＝４５、分散は（（４０−４５）２＋（５０−４５）２）／２＝２５である。この計算結果から、第1組の差分値の平均値が最小、第1組と第5組の差分値の分散が最小となったため、現在の各表示画面間の開閉角度は予め記憶した第1組の各表示画面間の開閉角度に最も類似していると見なし、第1組の開閉角度に対応する音響駆動パラメータをマルチスクリーン端末のアンプモジュール２０４に出力する。
【００４９】
選択的に、前記処理モジュール２０２は、具体的に、検出した現在の各表示画面間の開閉角度と現在の音場タイプに応じて、前記記憶モジュール２０３に予め記憶した一組の音響駆動パラメータを選択してアンプモジュール２０４に出力する、又は、現在の各表示画面間の開閉角度及び現在の音響駆動パラメータ、現在の音場タイプが、前記記憶モジュール２０３に予め記憶した最適な音場再生効果に対応する開閉角度及び音響駆動パラメータ、音場タイプであるか否かを判断し、そうでない場合、現在の各表示画面間の開閉角度、現在の音響駆動パラメータ及び／又は現在の音場タイプを調整する必要があるかについての提示を示すように構成される。
【００５０】
選択的に、前記調整モジュール２０４は具体的に、前記処理モジュール２０２からの通知を受けて、前記現在の各表示画面間の開閉角度、現在の音響駆動パラメータ及び／又は現在の音場タイプを調整して、最適な音場再生効果に対応する予め記憶した開閉角度、音響駆動パラメータ及び／又は音場タイプにする、又は、前記現在の表示画面間の開閉角度、現在の音響駆動パラメータ及び／又は現在の音場タイプを調整して、最適な音場再生効果に対応する予め記憶した開閉角度、音響駆動パラメータ及び／又は音場タイプにする方法を、現在使用中の表示画面上においてユーザーインターフェースを介し提示するように構成される。
【００５１】
例えば、前記音場タイプにはソフト、クリア、重低音、ロック風など種々のものが含まれてもよく、この場合、予め記憶した開閉角度と音場タイプ、音場再生効果の対応関係においては、より好ましい音場再生効果が得られる複数の音場タイプの音響駆動パラメータが同一の開閉角度に対応付けられる。
【００５２】
以下、好ましい実施例を通して、本発明の音声再生方法及びマルチスクリーン端末をどのように適用するかを説明する。なお、以下の好ましい実施例は本発明をより明確に説明するためのものにすぎず、本発明に対する不適切に限定するものではない。
【００５３】
図４に示す二画面モバイル端末は左右方向に０°から１８０°まで折り畳むことができる。３０１を付番したサブ画面には二つのスピーカ３０４が設けられ、３０３を付番したメイン画面にも二つのスピーカ３０４が設けられる。３０２を付番した接続装置はメイン画面とサブ画面の各機能を接続しており、回転軸が設けられ、ユーザが提示により手動でメイン画面とサブ画面を回転させたり、予め設定された指示により自動的にメイン画面とサブ画面を回転させたりすることが可能となっている。
【００５４】
前記二画面モバイル端末の試験調整プロセスでは、通常用いる開閉角度に応じて異なる音場パターンを試験と調整により導き出す。即ち、図５から図８に示した０°、３０°、１５０°、１８０°の４種類の開閉角度（図５が０°の開閉角度、図６が３０°の開閉角度、図７が１５０°の開閉角度、図８が１８０°の開閉角度に対応）に適応する、フィルタパラメータ、ゲインパラメータ、位相パラメータなどを含む４種類の音響駆動パラメータを試験と調整により導き出し、各角度において好ましいバランス効果と残響効果を得る。
【００５５】
例えば、図６に示すように開閉角度が３０°であるときは、それぞれ次の通り調整する。
（１）フィルタパラメータ、ゲインパラメータ
開閉角度が３０°のときは四つのスピーカの対向効果が顕著であり、従来技術を用いると、対向するスピーカが二つごとに一定程度相殺され、効果が芳しくない。この場合は、異なる周波数に対して比較的大きなゲインをかけて対向スピーカの音場相殺を抑え、最終的にバランスのとれた効果を得る。
（２）位相パラメータ
開閉角度が３０°のときは四つのスピーカの対向効果が顕著であり、従来技術を用いると、対向するスピーカが二つごとに一定程度相殺され、効果が芳しくない。この場合は、対向スピーカのプリアンブル信号に比較的広い幅の移相を行ない、位相をずらして相殺を抑えることで、サラウンドステレオ残響効果を得る。
【００５６】
これら四つの一般的な開閉角度について、音響駆動パラメータとの対応関係を二画面モバイル端末に予め記憶しておく。
【００５７】
使用時に端末は角度検出装置によって各表示画面間の開閉角度を検出するが、前記角度検出装置は従来技術における角度センサ、ホールセンサなどであってもよく、本発明ではこれについて限定しない。
【００５８】
そして各表示画面間の開閉角度に基づき、端末に予め記憶してあるもののうち上記開閉角度との差分値が最小となる開閉角度を見出し、それに対応する音響駆動パラメータを確認する。さらに、対応する音響駆動パラメータを抽出して端末のアンプモジュールに出力することで、端末を0°〜180°の間で折り畳んだときに、異なる開閉角度すべてに対応して最適な音場再生効果を得ることができる。
【００５９】
選択的に、前記二画面モバイル端末には最適な音場パターン及びそれに対応する開閉角度が予め幾つか記憶してあり、二画面モバイル端末の現在の開閉角度がその最適な音場パターンに対応する開閉角度でない場合、各表示画面間の開閉角度を調整して、より優れた音場再生効果を実現する必要があるか否かについての提示を現在使用中の各表示画面画面上に行なう。ユーザが必要であると選択したら、各表示画面間の開閉角度を自動的に調整して最適な音場再生効果が得られる開閉角度にするか、現在使用中の表示画面において、如何にして各表示画面間の開閉角度を調整して最適な音場再生効果が得られる開閉角度にするかをユーザにガイドする。
【００６０】
ユーザが各表示画面間の開閉角度を手動で調整することを選択した場合は、折り畳み方向や折り畳み目標点を含む、どのように端末を折り畳むかの情報を現在使用中の表示画面に図示するほか、リアルタイムで検出した各表示画面間の開閉角度を同じく現在使用中の表示画面に表示し、最終的に最適な音場角度に手動で折り畳むまでガイドする。例えば現在の開閉角度が１２０°、目標角度が３０°であったら、ユーザが３０°方向に折り畳むよう図示し、ユーザが３０°に折り畳むまで現在の開閉角度をリアルタイムで表示した上で、折り畳みが完了したことをユーザに示す。
【００６１】
ユーザが各表示画面間の開閉角度を自動的に調整することを選択した場合は、現在の開閉角度と目標の開閉角度の差分値を算出し、モータを制御して各表示画面間の開閉角度を自動的に調整し、最終的に最適な音場角度を得る。例えば、現在の開閉角度が９０°、目標角度が３０°であった場合、モータは各表示画面間の開閉角度を３０°に自動的に調整する。
【００６２】
本発明において提供する音声再生方法及びマルチスクリーン端末は、開閉角度と音響駆動パラメータと音場再生効果の対応関係を予め記憶することにより、マルチスクリーン端末の複数のスピーカの音場が相殺されるという課題を解決し、マルチスクリーン端末の音響効果を最適化して、ユーザの聴覚体験を向上させるものである。
【００６３】
本願に記載の技術案は有線端末や無線端末に限定されず、操作表示端末や携帯製品、他の車載視覚デバイスに適応してもよく、信頼性が高く、コストが安い。
【００６４】
当業者には理解されることであるが、上記方法におけるステップの全て又は一部は、読み取り専用メモリ、磁気ディスク、光ディスク等のコンピュータ読み取り可能な記憶媒体に記憶されえるプログラムによって、関連するハードウェアに指令して実現される。選択的に、上述の実施例のステップの全部又は一部は、一つ又は複数の集積回路を使用して実装されてもよく、同様に上述の実施例の各モジュール／ユニットはハードウェアの形で実現されてもよく、ソフトウェア機能モジュールの形で実現されてもよい。本発明はハードウェアとソフトウェアの特定の組み合わせに限定されない。
【００６５】
以上の説明は本発明の好ましい実施例に過ぎず、本発明を限定するものではない。本発明は当業者によって多様な変更及び変形を施すことが可能である。あらゆる変更、均等な置き換え、改良なども、本発明の思想と原理を外れない限りは本発明の範囲内に含まれる。
【産業上の利用可能性】
【００６６】
本発明において提供する音声再生方法及びマルチスクリーン端末は、開閉角度と音響駆動パラメータと音場再生効果の対応関係を予め記憶することにより、マルチスクリーン端末の複数のスピーカの音場が相殺されるという課題を解決し、マルチスクリーン端末の音響効果を最適化してユーザの聴覚体験を向上させるものである。
【図１】
0006929435.tif 000002
【図２】
0006929435.tif 000003
【図３】
0006929435.tif 000004
【図４】
0006929435.tif 000005
【図５】
0006929435.tif 000006
【図６】
0006929435.tif 000007
【図７】
0006929435.tif 000008
【図８】
0006929435.tif 000009